(57)【要約】【課題】  人体の洗浄には殺菌剤又は洗浄剤を含まない水を用いて行い、また人体洗浄用ノズルの表面の洗浄には殺菌剤又は洗浄剤を用いて行うことができるようにする。【解決手段】  便器本体２と便座３と人体洗浄用ノズル４とからなる洗浄便器である。人体洗浄用ノズル４から殺菌剤又は洗浄剤を含まない水を噴出する。そして水の噴出中又は噴出後又は噴出直前において該人体洗浄用ノズル４の表面にノズル洗浄用ノズル５をもって殺菌剤又は洗浄剤を吹き掛けることによって洗浄する。【選択図】  図１
2012052331.tif 000002
【特許請求の範囲】
【請求項１】
人体洗浄用ノズルの表面を、該人体洗浄用ノズルからの殺菌剤又は洗浄剤を含まない水の噴出中又は噴出後又は噴出直前において、殺菌剤又は洗浄剤をもって洗浄するようになしたことを特徴とする洗浄便器における人体洗浄用ノズルの洗浄機構。
【請求項２】
人体洗浄用ノズルの表面にノズル洗浄用ノズルをもって殺菌剤又は洗浄剤を吹き掛けることによって洗浄するようになした請求項１記載の洗浄便器における人体洗浄用ノズルの洗浄機構。
【請求項３】
人体洗浄用ノズルへの水の供給系路と、ノズル洗浄用ノズルへの殺菌剤又は洗浄剤の供給系路とを分離してなる請求項２記載の洗浄便器における人体洗浄用ノズルの洗浄機構。
【請求項４】
人体洗浄用ノズルへの水の供給系路を途中部において分岐し、分岐したもう一方をノズル洗浄用ノズルへの殺菌剤又は洗浄剤の供給系路となした請求項２記載の洗浄便器における人体洗浄用ノズルの洗浄機構。
【請求項５】
人体洗浄用ノズル内に、殺菌剤又は洗浄剤を含まない水の噴出後又は噴出直前において殺菌剤又は洗浄剤を注入し、該人体洗浄用ノズルから噴出する殺菌剤又は洗浄剤を浴びせることによってその表面を洗浄するようになした請求項１記載の洗浄便器における人体洗浄用ノズルの洗浄機構。
【請求項６】
人体洗浄用ノズルへの水の供給系路を途中部において分岐し、分岐したもう一方を殺菌剤又は洗浄剤の供給系路となすと共に、分岐した部分に切替弁を設けてなる請求項５記載の洗浄便器における人体洗浄用ノズルの洗浄機構。
【発明の詳細な説明】
【技術分野】
【０００１】
本発明は洗浄便器における人体洗浄用ノズルの洗浄機構に関するものである。
【背景技術】
【０００２】
人体洗浄用ノズルであるお尻洗浄ノズルとビデ洗浄ノズルを備えた洗浄便器においては、人体洗浄用ノズル自身によってその表面のすすぎ洗浄を行うようにするものと、人体洗浄用ノズルの表面を洗浄するための別のノズル洗浄用ノズルを備えたものとがある。尚、人体洗浄用ノズルであるお尻洗浄ノズルとビデ洗浄ノズルとは、これらを別々にしたものもあれば、一つで両方を共用させたものもある。
【０００３】
そして、前記人体洗浄用ノズル自身によってその表面のすすぎ洗浄を行うものも、また別に備えたノズル洗浄用ノズルによって人体洗浄用ノズルの表面を洗浄するものも、そのいずれもが殺菌剤又は洗浄剤を含まない水による洗浄であるから、人体洗浄用ノズルの表面の完全な浄化を行うことはできない。
【０００４】
また、上記従来の後者に属するものにおいて、人体洗浄用ノズルの表面に、殺菌性の銀イオン等の金属イオンを溶解させた水をノズル洗浄用ノズルから吹き掛けることによって該人体洗浄用ノズルの表面の洗浄を行うようになしたものも案出されている（特許文献１）。
【０００５】
しかし、斯かる特許文献１に示されたものは、ノズル洗浄用ノズルから噴出する水と、人体洗浄用ノズルから噴出する水とが同一のものである。このため殺菌性の銀イオン等の金属イオンを溶解させた水が人体の洗浄にもそのまま使用されることになる。そして、この場合には肌荒れやアレルギーの原因となる。
【先行技術文献】
【特許文献】
【０００６】
【特許文献１】特開２００５−３３６８５６号公報
【発明の概要】
【発明が解決しようとする課題】
【０００７】
本発明は上記の点に鑑みなされたものであって、人体の洗浄には殺菌剤又は洗浄剤を含まない水を用いて行い、また人体洗浄用ノズルの表面の洗浄には殺菌剤又は洗浄剤を用いて行うことができるようになした洗浄便器における人体洗浄用ノズルの洗浄機構を提供しようとするものである。
【課題を解決するための手段】
【０００８】
而して、本発明の要旨とするところは、人体洗浄用ノズルの表面を、該人体洗浄用ノズルからの殺菌剤又は洗浄剤を含まない水の噴出中又は噴出後又は噴出直前において、殺菌剤又は洗浄剤をもって洗浄するようになしたことを特徴とする洗浄便器における人体洗浄用ノズルの洗浄機構にある。
【０００９】
また、上記構成において、人体洗浄用ノズルの表面にノズル洗浄用ノズルをもって殺菌剤又は洗浄剤を吹き掛けることによって洗浄するようになしてもよい。
【００１０】
そして、更に斯かる場合において、人体洗浄用ノズルへの水の供給系路と、ノズル洗浄用ノズルへの殺菌剤又は洗浄剤の供給系路とを分離させるようにしてもよいし、人体洗浄用ノズルへの水の供給系路を途中部において分岐し、分岐したもう一方をノズル洗浄用ノズルへの殺菌剤又は洗浄剤の供給系路となしてもよい。
【００１１】
また、上記構成において、人体洗浄用ノズル内に、殺菌剤又は洗浄剤を含まない水の噴出後又は噴出直前において殺菌剤又は洗浄剤を注入し、該人体洗浄用ノズルから噴出する殺菌剤又は洗浄剤を浴びせることによってその表面を洗浄するようになしてもよい。そして、更に斯かる場合において、人体洗浄用ノズルへの水の供給系路を途中部において分岐し、分岐したもう一方を殺菌剤又は洗浄剤の供給系路となすと共に、分岐した部分に切替弁を設けるようにしてもよい。
【発明の効果】
【００１２】
本発明は上記の如き構成であるから、人体の洗浄には殺菌剤又は洗浄剤を含まない水を用いて行い、また人体洗浄用ノズルの表面の洗浄には殺菌剤又は洗浄剤を用いて行うことができるものである。したがって、人体を洗浄するにあたっては肌荒れやアレルギーの問題がなく、また人体洗浄用ノズルの表面の洗浄にあたっては完全な浄化を行うことができるものである。
【図面の簡単な説明】
【００１３】
【図１】本発明の第１実施形態の概略的説明図である。
【図２】本発明の第２実施形態の概略的説明図である。
【図３】本発明の第３実施形態の概略的説明図である。
【図４】本発明の第４実施形態の概略的説明図である。
【図５】本発明の第５実施形態の概略的説明図である。
【図６】本発明の第６実施形態の概略的説明図である。
【図７】本発明の第７実施形態の概略的説明図である。
【図８】同模式図である。
【図９】本発明の第８実施形態の概略的説明図である。
【図１０】本発明の第９実施形態の概略的説明図である。
【図１１】本発明の第１０実施形態の概略的説明図である。
【図１２】同模式図である。
【図１３】本発明の第１１実施形態の概略的説明図である。
【図１４】同模式図である。
【図１５】本発明の第１２実施形態の概略的説明図である。
【図１６】同模式図である。
【発明を実施するための形態】
【００１４】
以下、本発明を実施するための形態について、図面を参照して説明する。
【００１５】
先ず、図１に示した本発明の第１実施形態について説明する。
図中、１は洗浄便器であり、便器本体２と便座３と人体洗浄用ノズル４とからなるものである。斯かる構成は従来のものと同様である。また、図示した例においては、人体洗浄用ノズル４として、一つでお尻洗浄ノズルとビデ洗浄ノズルを共用するものを示している。
【００１６】
５はノズル洗浄用ノズルであり、途中部に殺菌剤又は洗浄剤供給手段６を備えた殺菌剤又は洗浄剤供給系路７の下流端に接続されている。該ノズル洗浄用ノズル５は、前記人体洗浄用ノズル４に殺菌剤又は洗浄剤を吹き掛けることによって、該人体洗浄用ノズル４の表面を洗浄するものである。
【００１７】
８は前記殺菌剤又は洗浄剤供給系路７とは別の、殺菌剤又は洗浄剤を含まない水の供給系路であり、途中部に温水タンク９を備えると共に下流端に前記人体洗浄用ノズル４を接続している。
【００１８】
次に本実施形態の作用について説明する。
お尻又はビデ用洗浄ノズルとして人体洗浄用ノズル４を使用するときには、水の供給系路８を経て該人体洗浄用ノズル４から殺菌剤又は洗浄剤を含まない水を噴出するものである。そしてまた、これと同時に、これの噴出中に、或いは噴出後に或いはまた噴出直前においてノズル洗浄用ノズル５から殺菌剤又は洗浄剤を人体洗浄用ノズル４の表面に吹き掛けるものである。
【００１９】
次に、図２に示した本発明の第２実施形態について説明する。
本実施形態は、人体洗浄用ノズル４への水の供給系路８を途中部において分岐し、分岐したもう一方をノズル洗浄用ノズル５への殺菌剤又は洗浄剤の供給系路７となしたものである。また、本実施形態においては温水タンク９部分において分岐させている。また、その他の構成は前記第１実施形態と同様であるから、同一の部材には同一の符号を付して詳細な説明は省略する。
【００２０】
而して、本実施形態においては、人体洗浄用ノズル４による殺菌剤又は洗浄剤を含まない水の噴出中、ノズル洗浄用ノズル５から殺菌剤又は洗浄剤を人体洗浄用ノズル４の表面に吹き掛けるものである。
【００２１】
次に、図３に示した本発明の第３実施形態について説明する。
本実施形態は、人体洗浄用ノズル４への水の供給系路８を途中部において分岐し、分岐したもう一方をノズル洗浄用ノズル５への殺菌剤又は洗浄剤の供給系路７となしたことは前記第２実施形態と同様である。
【００２２】
而して、本実施形態と第２実施形態との相違点は、分岐位置の違いにある。即ち、前記第２実施形態においては温水タンク９部分において分岐させているのに対して、本実施形態においては温水タンク９よりも下流側の部分において分岐させている点である。尚、その他の構成並びに作用は前記第２実施形態と同様であるから、同一の部材には同一の符号を付して詳細な説明は省略する。
【００２３】
次に、図４に示した本発明の第４実施形態について説明する。
本実施形態は、人体洗浄用ノズル４への水の供給系路８を途中部において分岐し、分岐したもう一方をノズル洗浄用ノズル５への殺菌剤又は洗浄剤の供給系路７となしたことは前記第３実施形態と同様である。
【００２４】
而して、本実施形態と第３実施形態との相違点は、本実施形態において前記温水タンク９を備えていない点にある。尚、その他の構成並びに作用は前記第３実施形態と同様であるから、同一の部材には同一の符号を付して詳細な説明は省略する。
【００２５】
次に、図５に示した本発明の第５実施形態について説明する。
本実施形態は、前記第４実施形態の変形例であり、殺菌剤又は洗浄剤供給手段６をノズル洗浄用ノズル５の近傍に備えたものである。尚、その他の構成並びに作用は前記第４実施形態と同様であるから、同一の部材には同一の符号を付して詳細な説明は省略する。
【００２６】
次に、図６に示した本発明の第６実施形態について説明する。
本実施形態は、前記第４実施形態の変形例であり、殺菌剤又は洗浄剤供給手段６を殺菌剤又は洗浄剤供給系路７の外部に備え、殺菌剤又は洗浄剤供給手段６から供給する殺菌剤又は洗浄剤をノズル洗浄用ノズル５の先端に向けて噴出させ、該薬剤を該ノズル洗浄用ノズル５から噴出する水に混合させるようになしたものである。尚、その他の構成並びに作用は前記第４実施形態と同様であるから、同一の部材には同一の符号を付して詳細な説明は省略する。
【００２７】
次に、図７及び図８に示した本発明の第７実施形態について説明する。
本実施形態は、前記第３実施形態の変形例であり、人体洗浄用ノズル４への水の供給系路８の分岐部分に切替弁１０を備えたものである。尚、その他の構成は前記第３実施形態と同様であるから、同一の部材には同一の符号を付して詳細な説明は省略する。
【００２８】
而して、本実施形態においては、人体洗浄用ノズル４による殺菌剤又は洗浄剤を含まない水の噴出後又は噴出直前に切替弁１０により水の流路を切り替え、ノズル洗浄用ノズル５から殺菌剤又は洗浄剤を人体洗浄用ノズル４の表面に吹き掛けるものである。
【００２９】
次に、図９に示した本発明の第８実施形態について説明する。
本実施形態は、前記第４実施形態の変形例であり、人体洗浄用ノズル４への水の供給系路８の分岐部分に切替弁１０を備えたものである。尚、その他の構成は前記第４実施形態と同様であるから、同一の部材には同一の符号を付して詳細な説明は省略する。
【００３０】
而して、本実施形態においては、人体洗浄用ノズル４による殺菌剤又は洗浄剤を含まない水の噴出後又は噴出直前に切替弁１０により水の流路を切り替え、ノズル洗浄用ノズル５から殺菌剤又は洗浄剤を人体洗浄用ノズル４の表面に吹き掛けるものである。
【００３１】
次に、図１０に示した本発明の第９実施形態について説明する。
本実施形態は、前記第５実施形態の変形例であり、人体洗浄用ノズル４への水の供給系路８の分岐部分に切替弁１０を備えたものである。尚、その他の構成は前記第５実施形態と同様であるから、同一の部材には同一の符号を付して詳細な説明は省略する。
【００３２】
而して、本実施形態においては、人体洗浄用ノズル４による殺菌剤又は洗浄剤を含まない水の噴出後又は噴出直前に切替弁１０により水の流路を切り替え、ノズル洗浄用ノズル５から殺菌剤又は洗浄剤を人体洗浄用ノズル４の表面に吹き掛けるものである。
【００３３】
次に、図１１及び図１２に示した本発明の第１０実施形態について説明する。
本実施形態は、人体洗浄用ノズル４への水の供給系路８を途中部において分岐し、分岐したもう一方をノズル洗浄用ノズル５への殺菌剤又は洗浄剤の供給系路７となしたことは前記第２実施形態と同様である。
【００３４】
而して、本実施形態と第２実施形態との相違点は、分岐位置の違いにある。即ち、前記第２実施形態においては温水タンク９部分において分岐させているのに対して、本実施形態においては温水タンク９よりも上流側の部分において分岐させている点である。そしてまた、分岐部分には切替弁１０を備えている。尚、その他の構成は前記第２実施形態と同様であるから、同一の部材には同一の符号を付して詳細な説明は省略する。
【００３５】
而して、本実施形態においては、人体洗浄用ノズル４による殺菌剤又は洗浄剤を含まない水の噴出後又は噴出直前に切替弁１０により水の流路を切り替え、ノズル洗浄用ノズル５から殺菌剤又は洗浄剤を人体洗浄用ノズル４の表面に吹き掛けるものである。
【００３６】
次に、図１３及び図１４に示した本発明の第１１実施形態について説明する。
本実施形態は、上記第１実施形態乃至第１０実施形態がいずれもノズル洗浄用ノズルをもって人体洗浄用ノズルの表面を洗浄するものであるのに対して、人体洗浄用ノズル内に殺菌剤又は洗浄剤を注入し、該人体洗浄用ノズルから噴出する殺菌剤又は洗浄剤を浴びせることによってその表面を洗浄するようになしたものである。
【００３７】
また、図示した本実施形態は、温水タンク９の下流側において人体洗浄用ノズル４への水の供給系路８の途中部を分岐し、分岐したもう一方を殺菌剤又は洗浄剤の供給系路７となすと共に、分岐部分に切替弁１０を備え、更に殺菌剤又は洗浄剤の供給系路７の下流端を人体洗浄用ノズル４に接続し、殺菌剤又は洗浄剤を該人体洗浄用ノズル４に注入するようになしたものである。
【００３８】
而して、本実施形態は、人体洗浄用ノズル４から殺菌剤又は洗浄剤を含まない水を噴出した後又は噴出する直前に切替弁１０により水の流路を切り替え、殺菌剤又は洗浄剤の供給系路７から人体洗浄用ノズル４内に殺菌剤又は洗浄剤を注入し、該人体洗浄用ノズル４から噴出する殺菌剤又は洗浄剤を浴びせることによってその表面を洗浄するものである。
【００３９】
次に、図１５及び図１６に示した本発明の第１２実施形態について説明する。
本実施形態は、前記第１１実施形態の変形例であり、温水タンク９の上流側において人体洗浄用ノズル４への水の供給系路８の途中部を分岐し、該分岐部分に切替弁１０を備えたものである。尚、その他の構成は前記第１１実施形態と同様であるから、同一の部材には同一の符号を付して詳細な説明は省略する。
【００４０】
而して、本実施形態は、人体洗浄用ノズル４から殺菌剤又は洗浄剤を含まない水を噴出した後又は噴出する直前に切替弁１０により水の流路を切り替え、殺菌剤又は洗浄剤の供給系路７から人体洗浄用ノズル４内に殺菌剤又は洗浄剤を注入し、該人体洗浄用ノズル４から噴出する殺菌剤又は洗浄剤を浴びせることによってその表面を洗浄するものである。
【符号の説明】
【００４１】
１  洗浄便器
２  便器本体
３  便座
４  人体洗浄用ノズル
５  ノズル洗浄用ノズル
６  殺菌剤又は洗浄剤供給手段
７  殺菌剤又は洗浄剤の供給系路
８  水の供給系路
９  温水タンク
１０  切替弁
【図１】
2012052331.tif 000003
【図２】
2012052331.tif 000004
【図３】
2012052331.tif 000005
【図４】
2012052331.tif 000006
【図５】
2012052331.tif 000007
【図６】
2012052331.tif 000008
【図７】
2012052331.tif 000009
【図８】
2012052331.tif 000010
【図９】
2012052331.tif 000011
【図１０】
2012052331.tif 000012
【図１１】
2012052331.tif 000013
【図１２】
2012052331.tif 000014
【図１３】
2012052331.tif 000015
【図１４】
2012052331.tif 000016
【図１５】
2012052331.tif 000017
【図１６】
2012052331.tif 000018